(57)【要約】【課題】白内障手術において、水晶体核を摘出した後に水晶体嚢の内面（後嚢）を研磨する従来の器具では、擦過研磨しても残存皮質のこびり付きはなかなか取れず、又、擦過研磨後の嚢表面は平滑とならず、術後の後嚢混濁の誘因となり、患者視力の低下をもたらす。水晶体嚢の内側を後嚢研磨用器具でむやみに擦禍研磨した場合、破嚢が考えられ、充分な研磨がしづらい。又、シリコーン管を装着した皮質吸引器具では、吸引口が先端であるので後嚢に吸い付き易く、使用しづらい。白内障手術後の嚢混濁による患者視力低下と、それによる二次手術を回避すること。【解決手段】手術用吸引器具において、眼科手術時に患者眼内の組織を削り取るために眼内に挿入される器具の先端部に角度１０〜１２０°までの線状の固定刃及びその刃に沿って凹みを設けた手術用吸引器具で、残存水晶体皮質を後嚢面から削り取り眼内より吸引除去する。その角度は１０〜１２０°であり、線状の固定刃が鋭刃である必要は無く、鈍刃で良く、破嚢を避けた形状の手術用吸引器具で嚢内残留皮質を除去する。【選択図】図１１
2005305067.tif 000002
【特許請求の範囲】
【請求項１】
手術用吸引器具において、手術時に患者の組織を削り取るために患者生体内に挿入される器具の先端部に線状の固定刃及びその刃に沿って凹みを設けたことを特徴とした手術用吸引器具。
【請求項２】
線状の固定刃の形状が直線、円、楕円又は弧状であることを特徴とした請求項１に記載の手術用吸引器具。
【請求項３】
線状の固定刃が直径の異なる２つ以上の円、同心円又は楕円状で、円に沿って凹みがあることを特徴とした請求項１に記載の手術用吸引器具。
【請求項４】
線状の固定刃に沿った凹みが幅０．０５ｍｍ以上で、深さ０．１〜１．０ｍｍであることを特徴とした手術用吸引器具。
【請求項５】
線状の固定刃の角度が１０〜１２０°であることを特徴とした請求項１に記載の手術用吸引器具。
【請求項６】
線状の固定刃が鈍刃であることを特徴とした請求項１に記載の手術用吸引器具。
【発明の詳細な説明】
【技術分野】
【０００１】本発明は、白内障患者の白内障摘出手術後に水晶体嚢内の残渣物を除去するための手術用吸引器具に関する。
【背景技術】
【０００２】ヒト水晶体は加齢や外傷により白濁し、白内障となり、一般にその多くは白内障手術により眼内透明性を得た後、視力矯正のため眼内レンズが元の水晶体の位置に移植される。移植される眼内レンズ（人工水晶体）は水晶体嚢内に移植されるのが最良の結果となると考えられている。しかしながら、水晶体嚢内に残留皮質等の残渣物があると術後に視力低下を起こすと共に、視力低下が顕著であるとレーザー治療や再手術の対象となる。この現象は後嚢混濁（後発白内障）と呼ばれている。【０００３】医学専門誌、眼科手術、８（１）：４７−５１，１９９５「シリコーンレンズと小径ＰＭＭＡレンズにおける後発白内障の検討」によると、この後発白内障発症頻度は手術症例の４．７〜３５．０％との報告がある。その為、白内障手術中に嚢内残留皮質及び水晶体前嚢上皮細胞の出来る限りの吸引除去が行われる。特に視力に影響を及ぼす瞳孔領域の後嚢研磨が重要となる。後嚢に残渣物が少ないと、前嚢にある水晶体前嚢上皮細胞の後嚢への伸展度合いが減少し、残渣物による白濁程度が低下する。【０００４】白内障手術では水晶体核は超音波チップにより破砕吸引され、続いて皮質吸引針により水晶体嚢に残留した皮質が吸引抜去される。皮質吸引針の使用にも拘わらず皮質が嚢に所々付着する。この時、後嚢研磨用器具が使用される。後嚢研磨用器具としてはヤスリが多用されている。ヤスリの種類としては砂状、格子状のヤスリがある。針の先端に柔らかいシリコーン管を装着した皮質吸引器具もある。
【特許文献１】米国特許５，８１４，０１０の灌流吸引器具は、器具の先端が丸く、その表面が格子状のヤスリ状とし、そのヤスリ状の部分で嚢の研磨をすることを開示している。
【発明の開示】
【発明が解決しようとする課題】
【０００５】解決しようとする問題点は第一に、水晶体嚢の内側を後嚢研磨用器具で擦過研磨しても皮質のこびり付きはなかなか取れず、又、擦過研磨後の嚢表面は平滑とならず、術後の後嚢混濁の誘因となり、患者視力の低下をもたらす。
第二に、水晶体嚢の内側を後嚢研磨用器具でむやみに擦禍研磨した場合、破嚢が考えられ、充分な研磨がしづらい。
第三に、シリコーン管を装着した皮質吸引器具では、吸引口が先端であるので後嚢に吸い付き易く、使用しづらい。
【課題を解決するための手段】
【０００６】手術用吸引器具において、眼科手術時に患者眼内の組織を削り取るために眼内に挿入される器具の先端部に線状の固定刃及びその刃に沿って凹みを設けた手術用吸引器具で残留した水晶体皮質を削り取り眼内より吸引除去する。
その線状の固定刃が鋭利である必要は無く、鈍な刃で良く、破嚢を避けた形状の手術用吸引器具を嚢内残留皮質除去に用いる。
更に、線状の固定刃の形状が直線、円、楕円又は弧状である手術用吸引器具を用いれば皮質剃り残しが軽減され後嚢混濁の低下が期待される。
その線状の固定刃が直径の異なる２つ以上の円、同心円又は楕円状で、円に沿って凹みがあるとこの手術用吸引器具移動方向に拘わらず皮質剃り落としが可能となる。
本発明の線状の固定刃に沿った凹みが幅０．０５ｍｍ以上で深さ０．１〜１．０ｍｍの手術用吸引器具では、その凹みに剃り落とした皮質が入り、再度、刃に掛からない。擦過研磨用ヤスリでは何度もヤスリの凸凹で擦る可能性がある。尚、線状の固定刃の刃角度は１０〜１２０°までが望ましい。本発明の固定刃とは、例えば電動、気動、手動等、器具内で動く可動刃では無く、吸引器具先端に刃が固定されている刃である。【０００７】つまり、本発明は、眼科手術時に患者眼内の組織を削り取るために、従来の様なヤスリで後嚢を擦過研磨するのでは無く、後嚢表面を面状に剃る手術用吸引器具としたものである。本発明では、眼内に挿入される器具の先端部に角度１０〜１２０°までの線状の固定刃及びその刃に沿って凹みを設け、面状の組織、後嚢、に損傷を与えない形状の手術用吸引器具とした。【０００８】本発明は、水晶体嚢に付着している残留皮質を従来の様な単に擦って取るのでは無く、剃り落とす、又は削り取る線状の刃のある器具である。従来、線状の固定鈍刃があり、その器具先端を組織に垂直に使用できる手術用残留組織除去用器具は無かった。本発明の手術用吸引器具は、残留皮質は剃り落とすが嚢は切らない鈍刃を装着した形状が好ましい。本発明の手術用吸引器具は鋼製や合成樹脂製いずれでも良く、又、刃は鈍刃でも良いことより一般的医用材料が適用できる。【０００９】図１の側面図及び図２の正面図は本発明の実施例の一つであり、手術用吸引器具の先端Ｔにお椀状の凹みＰを設けている。刃Ｓは図２の様に円で凹みＰはこの刃Ｓの内側に設けられている。刃Ｓである円の直径Ｗは少なくとも０．０５ｍｍ以上が好ましい。図１の吸引口Ａは器具先端Ｔの側面に位置し、吸引口Ａよりの廃液は吸引路Ｆに向かって流れ、眼外に排出される。この眼科用手術用吸引器具の先端Ｔの太さは通常０．５〜０．９ｍｍ程度であるが本発明では、この太さに拘らない。尚、刃Ｓは鋭利の必要は無く、鈍刃が好ましい。刃の角度Ｓ°は１０〜１２０°が好ましい。【００１０】図３の側面図及び図４の正面図も本発明の実施例の一つであり、手術用吸引器具の先端Ｔに同心円状の凹みＰを設けている。刃Ｓも図４の様に同心円で凹みＰはこの刃Ｓの内側に設けられている。凹みの幅Ｗは少なくとも０．０５ｍｍ以上が好ましい。図３の吸引口Ａは器具先端Ｔの側面に位置し、吸引口Ａよりの廃液は眼外に排出される。【００１１】図５の側面図及び図６の正面図も本発明の実施例の一つであり、手術用吸引器具の先端Ｔに円状の凹みＰを３箇所設けている。刃Ｓも図６の様に３つの円で凹みＰはこの刃Ｓの内側に設けられている。凹みの幅Ｗは少なくとも０．０５ｍｍ以上が好ましい。図５の吸引口Ａは器具先端Ｔの側面に位置し、吸引口Ａよりの廃液は眼外に排出される。
図５の側面図及び図６の正面図で示した本発明の実施例では本発明の手術用器具を嚢表面上のどの方向に移動しても面での剃り残しは考えられない。【００１２】図７の側面図及び図８の正面図も本発明の実施例の一つであり、手術用吸引器具の先端Ｔに円弧状の凹みＰを３箇所設けている。刃Ｓも図８の様に３つの円弧で凹みＰはこの刃Ｓの内側に設けられている。図７の吸引口Ａは器具先端Ｔの側面に位置し、吸引口Ａよりの廃液は眼外に排出される。
図７の側面図で示した本発明の実施例では手術用吸引器具の先端Ｔの最先端で嚢を押さえられるのでより破嚢しにくく、より安全な操作が行える。【００１３】図９の側面図及び図１０の正面図も本発明の実施例の一つであり、手術用吸引器具の先端Ｔに直線状の凹みＰを設けている。刃Ｓも図１０の様に直線で凹みＰはこの刃Ｓの内側に設けられている。凹みの幅Ｗは少なくとも０．０５ｍｍ以上が好ましい。凹みの深さは０．１〜１．０ｍｍが好ましい。図９の吸引口Ａは器具先端Ｔの側面に位置し、吸引口Ａよりの廃液は眼外に排出される。
図９の側面図及び図１０の正面図で示した本発明の実施例では刃Ｓに垂直に移動させ剃ると効果が高い。刃Ｓに平行に移動しても刃が鈍であれば、嚢に鋭角に当たらず破嚢の恐れは少ない。刃の角度Ｓ°は約６０°でも刃Ｓは相対しており嚢に刃Ｓは鋭角に接しない。図９の側面図及び図１０の正面図の本発明の手術用吸引器具は、器具先端に直線的に溝を作成するので製造が簡単で、使用後の洗浄、点検も簡便に行える。【００１４】図１２の側面図は従来のヤスリ状の後嚢研磨用器具の一例である。後嚢研磨用器具Ｙの先端がヤスリ状Ｂとなっており、砂状としたり、格子状にざらざらとした凸凹となったものがある。又、研磨、擦過効率を上げるために微小ダイヤモンド粉を塗布したものもある。ヤスリ状Ｂで擦過された残渣物は吸引口Ａより眼外に吸引排出される。【００１５】図１３の斜視図は従来の皮質吸引器具の一例である。皮質吸引器具Ｙの先端に柔軟なシリコーン管Ｓｉｌを装着している。皮質は吸引口Ａで吸引される。後嚢に接触する先端は柔軟なシリコーンＳｉｌのため、破嚢の恐れが無いとされている。【００１６】図１１の眼球前眼部及び本発明の図９及び図１０で示した実施例の断面図であり、本発明の手術用吸引器具の使用を説明するための図である。
本発明の手術用吸引器具先端Ｔに灌流用スリーブＥが装着され、手術用灌流吸引器具を構成している。通常、灌流スリーブには灌流効果を高めるために図１１の様に灌流口Ｉが二箇所設けられている。吸引器具Ｔ先端の刃Ｓが後嚢Ｌに接しており残渣皮質Ｄの方向に器具Ｙを動かし、残渣物Ｄを剃り落とす。剃った残渣物は刃Ｓの内側の凹み、深さ０．３ｍｍ、に入り、器具Ｔの簡単な振れで残渣物Ｄは刃Ｓの凹みより脱落する。脱落した残渣物Ｄは吸引口Ａより吸引され、眼外に排出される。【００１７】尚、図１１で通常の白内障手術では手術用灌流吸引器具先端Ｔは強膜Ｒ角膜Ｋ縁や強膜Ｒ或いは角膜Ｋより挿入され、眼内前房Ｃより水晶体嚢Ｌ内に入れられる。一般的に、灌流スリーブＥの太さは３ｍｍ、吸引器具Ｔの太さは０．９ｍｍ程度である。本発明の吸引用器具の先端は刃Ｓが相対しており、嚢Ｌに対して刃Ｓが鋭角に剃ることは無く、破嚢し、硝子体Ｖが前房Ｃに進出する恐れは少ない。
【発明の効果】
【００１８】本発明の手術用吸引器具を患者の白内障摘出後に水晶体嚢内に残存する皮質除去に用いることにより後嚢混濁が減少し、患者の術後の視力維持が図れ、後嚢混濁より二次的に発生する後発白内障が防止でき、再手術を回避できる。【００１９】従来の器具、ヤスリ状の研磨や柔軟なシリコーンによる皮質吸引等、より効率良く且つ破嚢を回避し、安全に水晶体嚢内の残留皮質を吸引排除できる。
【実施例１】
【００２０】図９及び図１０の様なステンレス鋼手術用吸引器具を作成した。器具の太さは２０Ｇ、直径０．９ｍｍの吸引針の先端に幅約０．３ｍｍ、深さ約０．３ｍｍの溝を凹みとして作成した。刃はやや鈍に研磨した。図６の様に眼内で使用できるか実験するために屠殺後の豚眼を用いた。新鮮な豚眼に手術用顕微鏡下で水晶体嚢外摘出手術を行い、図１１の様に灌流吸引を行いながら嚢表面を本手術用吸引器具で剃った。本手術用吸引器の先端を吸引口図９の吸引口Ａの方向に、図１０では刃Ｓに垂直に動かし、嚢表面を剃った。【００２１】同様な操作を従来使用されている図１２の様な砂状ヤスリを持った後嚢研磨用器具を用いて行い、後嚢研磨程度を比較した。比較は同じ嚢の表面に出来たこれら二種類の擦過部分を手術顕微鏡の細隙灯モードで斜照明にて観察した。観察結果は、本手術用吸引器で剃った痕は明らかに滑らかで、後嚢研磨用器具を用いた痕は線条が多く見られ、線条の凹凸が観察できた。【００２２】又、実施例１の様に水晶体嚢外摘出手術後に嚢内を空気置換した後、後嚢にインドシアニングリーン染色溶剤を塗布し、生理食塩水で嚢表面を濯ぐ様に洗浄し、前房を生理食塩水で満たした。後嚢上に残った染色剤を再度、図５及び図７の両器具で除去を試みた。嚢を眼内より摘出し、実体顕微鏡下で観察した。観察結果は、本手術用吸引器で剃った痕は明らかに色が薄く滑らかで、後嚢研磨用器具を用いた痕は線条が多く見られ、細い線条の濃淡が観察できた。
以上の結果より、本手術用吸引器具で嚢を剃った方が後嚢研磨用器具を用いて嚢を擦過するより嚢表面を平滑に削ぎ取ることが確認できた。
【産業上の利用の可能性】
【００２３】本発明の手術用吸引器具は哺乳類、特に犬や猫等の愛玩動物にも適用できる。
【図面の簡単な説明】
【００２４】
【図１】は、本発明の手術用吸引器具の一例で刃が円形である先端の側面図である。
【図２】は、図１の先端の正面図である。
【図３】は、本発明の手術用吸引器具の一例で刃が同心円状である先端の側面図である。
【図４】は、図３の先端の正面図である。
【図５】は、本発明の手術用吸引器具の一例で刃が三つの円である先端の側面図である。
【図６】は、図５の先端の正面図である。
【図７】は、本発明の手術用吸引器具の一例で刃が弧状である先端の側面図である。
【図８】は、図７の先端の正面図である。
【図９】は、本発明の手術用吸引器具の−例で刃が直線状である先端の側面図である。
【図１０】は、図９の先端の正面図である。
【図１１】は、本発明の手術用吸引器具を眼内で使用している時を説明するための前眼部と図９及び図１０で示した本発明の手術用吸引器具の一例の先端の断面図である。
【図１２】は、従来より使用されている後嚢研磨器具の一例で、説明のための参考側面図である。
【図１３】は、従来より使用されている皮質吸引器具の一例で、説明のための参考斜視図である。
【符号の説明】
【００２５】  Ａ．．．．．吸引口
Ｂ．．．．．ヤスリとなる砂状部分
Ｃ．．．．．前房
Ｄ．．．．．残渣物である水晶体皮質
Ｅ．．．．．灌流用スリーブ
Ｆ．．．．．吸引した廃液の流れ
Ｉ．．．．．灌流口
Ｋ．．．．．角膜
Ｌ．．．．．水晶体嚢
Ｐ．．．．．刃に沿った凹み
Ｒ．．．．．強膜
Ｓ．．．．．刃
Ｓ°．．．．刃の角度
Ｓｉｌ．．．シリコーン管
Ｔ．．．．．手術用吸引器具先端部
Ｕ．．．．．毛様体
Ｖ．．．．．硝子体
Ｗ．．．．．刃に沿った凹み幅
Ｙ．．．．．後嚢擦過研磨器具先端部
Ｚ．．．．．チン小帯
【図１】
2005305067.tif 000003
【図２】
2005305067.tif 000004
【図３】
2005305067.tif 000005
【図４】
2005305067.tif 000006
【図５】
2005305067.tif 000007
【図６】
2005305067.tif 000008
【図７】
2005305067.tif 000009
【図８】
2005305067.tif 000010
【図９】
2005305067.tif 000011
【図１０】
2005305067.tif 000012
【図１１】
2005305067.tif 000013
【図１２】
2005305067.tif 000014
【図１３】
2005305067.tif 000015